(57)【要約】【課題】  鉄筋コンクリート製柱と鉄骨製梁による複合構造の建物における柱梁接合部のコンクリートの打ち継ぎをなくすことが、簡易に実現できる柱ユニット１および柱ユニット１を用いた建物の施工方法を提供する。【解決手段】  鉄骨製梁材２を交差させて組んで形成された仕口部梁組３と、仕口部の周方向に沿って該梁材２間に配置され、当該梁材２の側部に一体的に接合されてコンクリート打設空間５を形成する鋼板製の塞ぎ板４とから仕口部材６を構成し、上記仕口部材６を、フープ筋８が埋設された中空プレキャスト柱部材７の頂部に載置するとともに、上記中空プレキャスト柱部材７内方に上記仕口部材６にわたって貫通させて、柱の高さ方向にスライド自在に柱主筋９を配設する。【選択図】図１
2008025125.tif 000002
【特許請求の範囲】
【請求項１】
鉄骨製梁材を交差させて組んで形成された仕口部梁組と、仕口部の周方向に沿って該梁材間に配置され、当該梁材の側部に一体的に接合されてコンクリート打設空間を形成する鋼板製の塞ぎ板とから仕口部材を構成し、
上記仕口部材を、フープ筋が埋設された中空プレキャスト柱部材の頂部に載置するとともに、
上記中空プレキャスト柱部材内方に上記仕口部材にわたって貫通させて、柱の高さ方向にスライド自在に柱主筋を配設したことを特徴とする柱ユニット。
【請求項２】
前記柱主筋の長さ寸法が、少なくとも建物２層分であることを特徴とする請求項１に記載の柱ユニット。
【請求項３】
前記中空プレキャスト柱部材が、複数の中空プレキャスト柱部材を連結したものであることを特徴とする請求項１または２に記載の柱ユニット。
【請求項４】
請求項１に記載の柱ユニットおよび該柱ユニットから前記柱主筋を除いた構成の第二柱ユニットを作製する第１工程と、
次いで、上記柱ユニットを、柱主筋の下端が前記中空プレキャスト柱部材下端から突出するようにして吊り上げて、上記柱主筋を、上記柱ユニットの設置面から突出する柱主筋に接合して、上記柱ユニットを吊り降ろして上記柱ユニットの設置面に設置する一方で、上記第二柱ユニットを、上記柱ユニットに隣接する当該第二柱ユニットの設置面から少なくとも建物１層分突出されている柱主筋に挿入して設置する第２工程と、
次いで、上記柱ユニットの前記仕口部梁組の前記鉄骨製梁材と、上記第二柱ユニットの仕口部梁組の鉄骨製梁材との間に鉄骨製梁部材を架設して接合する第３工程と、
その後、これら柱ユニットおよび第二柱ユニット内にそれらの前記仕口部材から前記中空プレキャスト柱部材内にわたって一体的に現場打ちコンクリートを打設する第４工程を備えることを特徴とする柱ユニットを用いた建物の施工方法。
【請求項５】
請求項４に記載の施工方法において、第３工程と第４工程の間に、上記梁材および上記梁部材に床材を配置して、該床材上に床配筋を施工する床工程を備えたことを特徴とする柱ユニットを用いた建物の施工方法。
【発明の詳細な説明】
【技術分野】
【０００１】
本発明は、鉄筋コンクリート製柱と、鉄骨製梁による複合構造の建物を施工する際に使用する柱ユニットおよび柱ユニットを用いた建物の施工方法に関する。
【背景技術】
【０００２】
鉄筋コンクリート製柱と、鉄骨製梁による複合構造の建物における柱梁接合部に関する従来技術としては特許文献１、２が知られている。特許文献１における、複合構造の建物における柱梁接合部は、コンクリート打設が完了した鉄筋コンクリート製柱上部の仕口部に、交差した鉄骨製梁部材を載置し、鉄骨製梁部材の交差した部分を囲む塞ぎ板内部に、コンクリートを打設して、鉄筋コンクリート製柱と鉄骨製梁を一体としたものである。特許文献２における、複合構造の建物における柱梁接合部は、交差した鉄骨製梁部材と型枠兼用プレートからなる仕口構成体を、柱用鉄筋籠の梁接合位置に、柱主筋で支持して取り付け、仕口構成体内部と柱用鉄筋籠を囲む柱型枠へコンクリートを一体に打設して、鉄筋コンクリート製柱と鉄骨製梁を一体としたものである。
【特許文献１】特開２００５−１８８１０２号公報
【特許文献２】特公平６−６８１８号公報
【発明の開示】
【発明が解決しようとする課題】
【０００３】
柱梁接合部は、柱および梁のそれぞれに発生した応力を伝達する部位であり、建物の架構を構成する上で最も重要な部位である。特に柱部分と梁部分の構成の異なる複合構造では、水平力やせん断力を確実に伝達するために、柱上部の柱梁接合部にコンクリートの打ち継ぎ部を設けるべきではない。
【０００４】
特許文献１の柱梁接合部では、鉄筋コンクリート製柱のコンクリート打設が完了していた部分と仕口部のコンクリートの間で、打ち継ぎが生じ構造上好ましくない。
【０００５】
特許文献２の柱梁接合部では、仕口構成体を柱主筋で支持するため施工効率が低い。具体的には、第１に、仕口構成体の柱主筋への取り付けには、取り付けフランジを使用している。この取り付けフランジは仕口構成体の型枠兼用プレートに設けられているため、型枠兼用プレートにも仕口構成体を支持できる剛性と強度が必要となり、仕口構成体全体の重量が増加する。また、仕口構成体は柱主筋のみで支持され、なおかつ複数層分を１ユニットとしていることから、水平剛性の低い柱主筋のみでは、ユニット上端部の揺れや下部柱主筋の座屈の可能性がある。このため、仕口構成体を支持する柱主筋の補強や、取り付けの労力の増加、揺れ止めブレースの設置等が必要であり、施工効率が低い。
【０００６】
第２に、仕口構成体の柱主筋への取り付けは、取り付けフランジの挿通孔へ挿入した柱主筋をナット等で締結して接続するため、接続部の強度が低い。このため、柱主筋で支持された仕口構成体への鉄骨製梁の取り付けや、鉄骨製梁への床型枠の施工、さらに柱から床スラブまで一体にコンクリート打設したりすることは、前記接続部の強度の観点から難しい。したがって、仕口構成体を含めた柱のコンクリートを打設した後に、鉄骨製梁の架設および床型枠からコンクリート打設までを行う施工手順としたり、仮設支持材を多用したりすることになり、コンクリート打設回数や仮設支持材の設置、解体の手間が増加し施工効率が低くなる。
【０００７】
本発明は上記従来の課題に鑑みて創案されたものであって、鉄筋コンクリート製柱と、鉄骨製梁による複合構造の建物における柱梁接合部のコンクリートの打ち継ぎをなくすことが可能で簡易な、柱ユニットおよび柱ユニットを用いた建物の施工方法を提供することを目的とする。
【課題を解決するための手段】
【０００８】
本発明に係る柱ユニットは、鉄骨製梁材を交差させて組んで形成された仕口部梁組と、仕口部の周方向に沿って該梁材間に配置され、当該梁材の側部に一体的に接合されてコンクリート打設空間を形成する鋼板製の塞ぎ板とから仕口部材を構成し、上記仕口部材を、フープ筋が埋設された中空プレキャスト柱部材の頂部に載置するとともに、上記中空プレキャスト柱部材内方に上記仕口部材にわたって貫通させて、柱の高さ方向にスライド自在に柱主筋を配設したことを特徴とする。
【０００９】
前記柱主筋の長さ寸法が、少なくとも建物２層分であることを特徴とする。
【００１０】
前記中空プレキャスト柱部材が、複数の中空プレキャスト柱部材を連結したものであることを特徴とする。
【００１１】
本発明に係る柱ユニットを用いた建物の施工方法は、上記柱ユニットおよび該柱ユニットから前記柱主筋を除いた構成の第二柱ユニットを作製する第１工程と、次いで、上記柱ユニットを、柱主筋の下端が前記中空プレキャスト柱部材下端から突出するようにして、吊り上げて、上記柱主筋を、上記柱ユニットの設置面から突出する柱主筋に接合して、上記柱ユニットを吊り降ろして上記柱ユニットの設置面に設置する一方で、上記第二柱ユニットを、上記柱ユニットに隣接する当該第二柱ユニットの設置面から少なくとも建物１層分突出されている柱主筋に挿入して設置する第２工程と、次いで、上記柱ユニットの前記仕口部梁組の前記鉄骨製梁材と、上記第二柱ユニットの仕口部梁組の鉄骨製梁材との間に鉄骨製梁部材を架設して接合する第３工程と、その後、これら柱ユニットおよび第二柱ユニット内にそれらの前記仕口部材から前記中空プレキャスト柱部材内にわたって一体的に現場打ちコンクリートを打設する第４工程を備えることを特徴とする。
【００１２】
本発明に係る柱ユニットを用いた建物の施工方法は、前記施工方法において、第３工程と第４工程の間に、上記梁材および上記梁部材に床材を配置して、該床材上に床配筋を施工する床工程を備えたことを特徴とする。
【発明の効果】
【００１３】
本発明に係る柱ユニットおよび柱ユニットを用いた建物の施工方法にあっては、鉄筋コンクリート製柱と、鉄骨製梁による複合構造の建物における柱梁接合部のコンクリートの打ち継ぎをなくすことが、簡易に実現できる。
【発明を実施するための最良の形態】
【００１４】
以下に、本発明に係る柱ユニットおよび柱ユニットを用いた建物の施工方法の好適な一実施形態を、添付図面を参照して詳細に説明する。本実施形態にかかる柱ユニット１は基本的には、図１から図８に示すように、鉄骨製梁材２を交差させて組んで形成された仕口部梁組３と、仕口部の周方向に沿って当該梁材２間に配置された鋼板製の塞ぎ板４とから仕口部材６を構成し、仕口部材６を、フープ筋８が埋設された中空プレキャスト柱部材７の頂部に載置するとともに、中空プレキャスト柱部材７内方に仕口部材６にわたって貫通させて、柱の高さ方向にスライド自在に柱主筋９を配設して構成されている。なお、本実施形態における「仕口部」とは、鉄筋コンクリート柱の柱梁接合部分、つまり、中空プレキャスト柱部材７上部の柱部分をいう。
【００１５】
また、本実施形態に係る第二柱ユニット１００は、柱ユニット１の仕口部材６と同一の仕口部材６０を、柱ユニット１の中空プレキャスト柱部材７と同一の中空プレキャスト柱部材７０の頂部に載置して構成されている。
【００１６】
本実施形態における、柱ユニット１は、仕口部材６と、それを載置する中空プレキャスト柱部材７と、中空プレキャスト柱部材７に挿入される柱主筋９から構成されている。仕口部材６は、仕口部梁組３と鋼板製の塞ぎ板４により構成されている。仕口部梁組３は、鉄骨製梁材２で構成されている。鉄骨製梁材２は、建物における鉄骨製梁の一部を構成する鉄骨製の部材である。本実施形態における前記鉄骨製梁は、柱の各四側面に柱芯位置で接続している。鉄骨製梁材２として、断面形状が同一なＨ形鋼で、長さの寸法が異なる、第一鉄骨製梁材２ａと第二鉄骨製梁材２ｂが使用される。第一鉄骨製梁材２ａは、それらを含む仕口部材６が載置される中空プレキャスト柱部材７の、第一鉄骨製梁材２ａ方向の柱幅寸法の長さを有している。第二鉄骨製梁材２ｂは、それを含む仕口部材６が載置される中空プレキャスト柱部材７の、第二鉄骨製梁材２ｂ方向の柱幅寸法の１／２以上の長さを有している。
【００１７】
仕口部梁組３は、第一鉄骨製梁材２ａと第二鉄骨製梁材２ｂを交差させた構成である。二本の第二鉄骨製梁材２ｂを、第一鉄骨製梁材２ａの中央部に両側から挟む形で、第一鉄骨製梁材２ａの長さ方向に対し各々直角に、同一線上に配置して交差させ、Ｘ字状を形成している。両鉄骨製梁材２ａ，２ｂは上下フランジが面一となる高さで、加工し組み合わせて、溶接接合されている。仕口部梁組３のＸ字状の交差部は、中空プレキャスト柱部材７の外周部より内側において形成されていればよい。したがって、仕口部梁組３の各鉄骨製梁材２端部は、少なくとも仕口部材６を載置する中空プレキャスト柱部材７の外周面の位置まで達していればよい。本実施形態において、構成された仕口部梁組３の第一鉄骨製梁材２ａ、第二鉄骨製梁材２ｂの端部は、仕口部材６が中空プレキャスト柱部材７頂部に載置された状態で、中空プレキャスト柱部材７の外周より外側に位置するよう設定されている。
【００１８】
仕口部梁組３の上面には、仕口部材６を吊り上げるための、吊り金具２２が取り付けられている。この吊り金具２２は、矩形の金属プレートに孔を開けたものを、各鉄骨製梁材２上端フランジ上部に起立させ、溶接接合したものである。吊り金具２２は、仕口部梁組３の中空プレキャスト柱部材７の外周より外側の位置に、柱主筋９を挟んで左右一対で、計二対設けられている。
【００１９】
また、仕口部梁組３の下面には、仕口部材６と中空プレキャスト柱部材７と連結するための仕口部連結金具２３が設けられている。この仕口部連結金具２３は、矩形の金属プレートに孔を開け、中空プレキャスト柱部材７の外周面に沿って、仕口部梁組３の各鉄骨製梁材２下端のフランジから垂下するように、溶接接合されている。仕口部連結金具２３の孔は鉄骨製梁材２の中心線位置の両側に各一つ、計二つ設けられている。この金具は、仕口部材６を中空プレキャスト柱部材７に対して、水平方向の位置を固定し、上下方向に連結する機能を有している。また、仕口部材６を中空プレキャスト柱部材７の頂部に載置する際のガイドとしての機能も有している。
【００２０】
仕口部材６は、仕口部梁組３の各鉄骨製梁材２側部に、鋼板製の塞ぎ板４が一体に取り付けられて、構成されている。鋼板製の塞ぎ板４は、仕口部の周方向に沿って各鉄骨製梁材２間に配置されている。仕口部の周方向は、すなわち中空プレキャスト柱部材７の外周方向を意味する。したがって、鋼板製の塞ぎ板４の水平断面形状は、各鉄骨製梁材２間に位置する、中空プレキャスト柱部材７の外周形状と同一である。本実施形態における鋼板製の塞ぎ板４は、ロ字状の中空プレキャスト柱部材７外周形状を、仕口部梁組３で上下左右に十字型に四分割した、Ｌ字状の部材として形成されている。塞ぎ板４の高さは、鉄骨製梁材２の梁せいと同じ寸法を有している。
【００２１】
鋼板製の塞ぎ板４は、その端面を鉄骨製梁材２のウェブとフランジの側面および上フランジの下端面と下フランジの上端面へ当接して溶接接合されている。塞ぎ板４の各鉄骨製梁材２への接合位置は、仕口部材６を中空プレキャスト柱部材７頂部に載置した際の、中空プレキャスト柱部材７の外周と各鉄骨製梁材２との交差部である。また、塞ぎ板４自体も柱部材７の隅角部位置で鋼板を溶接接合して構成されている。このようなＬ字状の鋼板製の塞ぎ板４が、各鉄骨製梁材２の間に計四つ設けられ、その四つが組み合わされて中空プレキャスト柱部材７の外周形状と同じ、ロ字状のコンクリート打設空間５が形成されている。コンクリート打設空間５は、鋼板製の塞ぎ板４により外部と仕切られ、上下方向に開放された空間である。鋼板製の塞ぎ板４は、仕口部のせん断補強材としての機能とコンファインド効果によって仕口部のコンクリートを拘束する機能、およびコンクリート打設空間５に対するコンクリート型枠の機能を有している。鋼板製の塞ぎ板４は、これらの機能を充足する、部材厚さと強度、接合部強度を有している。なお、中空プレキャスト柱部材７のコンクリート強度が中空部に打設されるコンクリート強度よりも高い場合、柱部分にもコンファインド効果が期待できる。
【００２２】
仕口部梁組３と鋼板製塞ぎ板４により、仕口部材６が構成されている。本実施形態における、仕口部材６は、Ｘ字状の仕口部梁組３と、Ｌ字状鋼板製の塞ぎ板４四枚とにより田の字状とされ、内側の十字状を外へ延長した断面形状を有している。仕口部材６は中空プレキャスト柱部材７の頂部に載置されている。本実施形態における中空プレキャスト柱部材７は、その頂部に仕口部材６を載置した状態で、柱ユニット１の設置面である床のコンクリート天端から、上階の床コンクリート下端までの高さとなる寸法に設定されている。中空プレキャスト柱部材７は、工場または現場で事前に製作された矩形の中空のコンクリート製部材であり、そのコンクリート製外殻部（以下「外殻」という）には、スパイラル状のフープ筋８が埋設されている。
【００２３】
また、中空プレキャスト柱部材７の各側面上部には、柱部連結金具２４が埋設されている。柱部連結金具２４はナット部を有する部材であり、仕口部材６を中空プレキャスト柱部材７頂部の所定位置に載置した際の仕口部連結金具２３の孔位置と合致する位置に、中空プレキャスト柱部材７の外周に面して埋め込まれている。
【００２４】
仕口部材６は、中空プレキャスト柱部材７の外殻上端部に載置され、中空プレキャスト柱部材７と仕口部連結金具２３、柱部連結金具２４を使用して連結されている。仕口部材６と中空プレキャスト柱部材７が連結された部材の高さは、設置面である床のコンクリート天端から、上階の床コンクリート下端までの寸法と等しく設定されている。仕口部材６と中空プレキャスト柱部材７が連結された状態において、鋼板製の塞ぎ板４の外側面は中空プレキャスト柱部材７の外周面とほぼ面一の状態となる。本実施形態における、連結方法は、中空プレキャスト柱部材７の前記柱部連結金具２４のナット位置に、前記仕口部連結金具２３の孔位置を合わせ、ボルト２９を仕口部連結金具２３を貫通して柱部連結金具２４に螺合する方式である。前記連結は、中空プレキャスト柱部材７と仕口部材６の仮止めであり、中空プレキャスト柱部材７と仕口部材６は内部にコンクリートが打設されることにより一体的に連結される。
【００２５】
柱ユニット１は、柱主筋９を、上記中空プレキャスト柱部材７内方に上記仕口部材６にわたって貫通させて、柱の高さ方向にスライド自在に配設して構成されている。本実施形態において、柱主筋９は、各柱主筋用鉄筋２０の集合体として構成され、建物の２層分の長さを有している。各柱主筋用鉄筋２０には、ねじ鉄筋が使用されている。各柱主筋用鉄筋２０の一方の端部を、柱における各柱主筋用鉄筋２０同士の位置関係を保持するための仮設部材（以下「柱主筋形成部材２１」という）に固定することにより柱主筋９が形成されている。柱主筋形成部材２１は、柱主筋用鉄筋２０の配置に合わせて、山形鋼をロ字状に組み、山形鋼の、各柱主筋用鉄筋２０の位置に柱主筋用鉄筋２０を挿入するための孔を開けたものである。また、柱主筋形成部材２１は、柱主筋９を吊り上げる際の吊り金具としての機能も有している。
【００２６】
本実施形態においては、柱主筋９を貫通させる仕口部材６が、その仕口部梁組３により、四つの区画に分割されているため、柱主筋９は、柱主筋形成部材２１により、柱主筋用鉄筋２０の四つのグループとして形成されている。柱主筋用鉄筋２０の一方の端部を前記孔へ挿通し、ねじ鉄筋の挿通部にナットを取り付け、柱主筋用鉄筋２０が柱主筋形成部材２１の孔から抜けないように固定されている。
【００２７】
このような柱主筋９を中空プレキャスト柱部材７内部に挿入して、柱ユニット１が構成されている。柱主筋９の挿入による柱ユニット１の組立は、起立させた状態の中空プレキャスト柱部材７頂部の仕口部材６から、柱主筋９を柱主筋形成部材２１を利用して吊り降ろして、中空プレキャスト柱部材７へ挿入することで行なわれる。組み上がった柱ユニット１では、仕口部材６および中空プレキャスト柱部材７と柱主筋９とは接続されていないため、仕口部材６および中空プレキャスト柱部材７は柱主筋９の長さ方向、すなわち柱の高さ方向、にスライド自在な状況となっている。柱ユニット１を扱う際は、柱主筋９と仕口部材６および中空プレキャスト柱部材７の挿入関係を崩さないように共吊りする。
【００２８】
第二柱ユニット１００は、仕口部材６０および中空プレキャスト柱部材７０により構成されている。
【００２９】
仕口部材６０は、柱ユニット１の仕口部材６と同一の部材である。したがって、仕口部材６０は、第一鉄骨製梁材２ａと第二鉄骨製梁材２ｂを交差させたＸ字状の仕口部梁組３と、第一鉄骨製梁材２ａと各第二鉄骨製梁材２ｂ間に、一体的に溶接接合され、コンクリート打設空間を構成する、Ｌ字状鋼板製の塞ぎ板４四枚とによる田字状の部材である。また、仕口部材６０は、仕口部材６と同様の、柱部連結金具２４、吊り金具２２を有している。
【００３０】
また、中空プレキャスト柱部材７０は柱ユニット１の中空プレキャスト柱部材７と同一の部材である。したがって、中空プレキャスト柱部材７０の外殻にはスパイラル状のフープ筋８が埋設されている。また、中空プレキャスト柱部材７と同様に、各側面上部には柱部連結金具２４が埋設されている。
【００３１】
第二柱ユニット１００は、柱ユニット１から柱主筋９を除いた形態のユニットである。第二柱ユニット１００は、仕口部材６０を中空プレキャスト柱部材７０の頂部に載置し、仕口部材６０の鋼板製の塞ぎ板４の外側面は中空プレキャスト柱部材７０の外周面とほぼ面一の状態となっている。第二柱ユニット１００の高さ寸法は、柱ユニット１と同一の高さ寸法である。したがって、設置面である床のコンクリート天端から、上階の床コンクリート下端までの寸法となっている。両者の連結方法も柱ユニット１の場合と同様の方法であるため、説明は省略する。
【００３２】
本実施形態に係る柱ユニット１および第二柱ユニット１００を用いた建物の施工方法は基本的には、図４から図８に示すように、上記柱ユニット１と、第二柱ユニット１００を互いに隣接して配置する施工方法であり、上記柱ユニット１を作製し、次いで、柱ユニット１の前記柱主筋９を、その下端が前記中空プレキャスト柱部材７下端から突出するようにして、該柱ユニット１とともに共吊りし、次いで、柱主筋９を、柱ユニット１の設置面である床面から突出する柱主筋１０に接合し、次いで、柱ユニット１を吊り降ろして柱ユニット１の設置面である床面に設置する。並行して、第二柱ユニット１００に、設置面から上階の床上まで建物１層分以上突出されている柱主筋１１０を挿入し、第二柱ユニット１００を設置面である床面に設置する。次いで、柱ユニット１の仕口部梁組３の鉄骨製梁材２に、隣接する第二柱ユニット１００の仕口部梁組３との間に架設される鉄骨製梁部材１１を接合し、次いで、上記梁材２および梁部材１１に床材１３を配置して、該床材１３上に床配筋１４を施工し、その後、上記床から上記柱ユニット１の前記仕口部材６および第二柱ユニット１００の前記仕口部材６０を介して上記中空プレキャスト柱部材７、７０内にわたって、一体的に現場打ちコンクリートを打設する工程からなる。
【００３３】
事前準備として、中空プレキャスト柱部材７、７０を工場等で製作する。中空プレキャスト柱部材７と中空プレキャスト柱部材７０は、柱ユニット１に用いるか、第二柱ユニット１００に用いるかの相違であり、中空プレキャスト柱部材自体は同一である。具体的には、中空プレキャスト柱部材７、７０に、スパイラル状のフープ筋８を外殻に埋設し、また柱部連結金具２４としてナット部材を、外殻の外周面に接するよう埋設しておく。
【００３４】
次の事前準備として、仕口部材６、６０を組み立てる。仕口部材６と、仕口部材６０は、柱ユニット１に用いるか、第二柱ユニット１００に用いるかの相違であり、仕口部材自体は同一である。具体的には、第一鉄骨製梁材２ａの中央部に第二鉄骨製梁材２ｂを直交方向に溶接してＸ字状の仕口部梁組３を組み立てる。また、各鉄骨製梁材２に吊り金具２２および仕口部連結金具２３を取り付ける。組み上がった仕口部梁組３の各鉄骨製梁材２間に、中空プレキャスト柱部材７の外周形状および位置に合わせて、各鉄骨製梁材２側面に溶接で鋼板製の塞ぎ板４を取り付け、仕口部材６、６０として組み立てる。
【００３５】
施工方法としては、第１工程として、まず、柱ユニット１を組み立てる。具体的には、事前準備で組み上げてある仕口部材６を、起立させた中空プレキャスト柱部材７の頂部に載せ、仕口部材６の仕口部連結金具２３にボルト２９を貫通させて、中空プレキャスト柱部材７の柱部連結金具２４に、ボルト２９を螺合して、仕口部材６と中空プレキャスト柱部材７を連結する。
【００３６】
これらの作業に並行して柱主筋用鉄筋２０の端部を柱主筋形成部材２１へ固定して柱主筋９を組み立てる。組み上がった柱主筋９を、柱主筋形成部材２１を利用して吊り上げ、仕口部材６上部から中空プレキャスト柱部材７内へ挿入し、柱ユニット１として組み立てる。
【００３７】
柱ユニット１の組み立てに並行して、第二柱ユニット１００も組み立てる。具体的には、事前準備で組み上げてある仕口部材６０を、中空プレキャスト柱部材７０の頂部に載置し連結して組み立てる。連結方法は柱ユニット１における、仕口部材６と中空プレキャスト柱部材７の連結方法と同様である。
【００３８】
次いで第２工程として、まず、柱ユニット１の柱主筋９を、その下端が中空プレキャスト柱部材７下端から突出するように、中空プレキャスト柱部材７と共吊りして、吊り上げる。共吊りは、柱主筋９上端の柱主筋形成部材２１からの吊りワイヤ２６と、仕口部材６の吊り金具２２からの吊りワイヤ２７とを、同一の吊り用治具２５へ接続して行う。同一の吊り用治具２５を使用することにより、柱主筋９と仕口部材６に連結された中空プレキャスト柱部材７との共吊りが可能となり、両者の挿入状態を崩さず柱ユニット１として扱うことが出来る。
【００３９】
この際、柱主筋形成部材２１から吊り用治具２５までのワイヤの長さおよび仕口部材６の吊り金具２２から吊り用治具２５までのワイヤの長さは、吊り用治具２５を吊り上げた際、まず、仕口部材６と連結された中空プレキャスト柱部材７が、柱主筋９に沿ってスライド上昇し、遅れて柱主筋９が吊り上がり、中空プレキャスト柱部材７下端から柱主筋９が突出した状態での共吊り状態となるように設定する。
【００４０】
次いで、柱ユニット１の柱主筋９を、設置面に突出している既設の柱主筋１０に接続する。具体的には、図４の（ａ）、（ｂ）に示すように、吊り上げた柱ユニット１を、既設の柱主筋１０が突出している柱ユニット１の設置面、すなわち施工済みの床面（あるいは、吹き抜けなど床がない場合は施工済みの柱ユニット１の仕口部材６の上面）の上方へ移動し、降下させ、柱ユニット１下端から突出している柱主筋９に、設置面から突出している柱主筋１０を、機械式継手１２を用いて接続する。
【００４１】
次いで、柱ユニット１を設置面へ設置する。具体的には、図４の（ｂ）、（ｃ）に示すように、柱ユニット１をさらに降下させて、中空プレキャスト柱部材７の取り付け位置を調整し、設置面である床面に仮固定する。最終的には、コンクリート打設により取り付け位置が確定される。
【００４２】
柱ユニット１の設置に並行して、第二柱ユニット１００を設置する。具体的には、設置面から建物１層分以上突出されている、既設の柱主筋１１０に、第二柱ユニット１００を挿入し、中空プレキャスト柱部材７０の取り付け位置を調整し、設置面である床面に仮固定する。中空プレキャスト柱部材７と同様、最終的には、コンクリート打設により取り付け位置が確定される。
【００４３】
次いで、第３工程として、柱ユニット１と第二柱ユニット１００間の鉄骨製梁部材１１を架設する。具体的には、仮固定された柱ユニット１の仕口部梁組３の鉄骨製梁材２と、隣接する第二柱ユニット１００の仕口部梁組３の鉄骨製梁材２との間に、鉄骨製梁部材１１を架設して、建物の鉄骨製梁を構築する。
【００４４】
本実施形態においては、第３工程に続けて、床材１３を配置し、床配筋１４を行う。具体的には、構築された鉄骨製梁へ床材１３として床型枠のデッキプレートを配置し、その上に床配筋１４を行う。
【００４５】
その後、第４工程として、柱および床のコンクリート打設を行う。具体的には、床材１３から仕口部材６、６０を介して中空プレキャスト柱部材７、７０の内部の範囲にコンクリートを一体に、所定の床コンクリート天端まで打設する。打設手順は、施工階の中空プレキャスト柱部材７、７０の内部から仕口部材６、６０までコンクリートを充填し、引き続き、施工階の床コンクリートの打設を行う。打設されたコンクリート１５により中空プレキャスト柱部材７、７０と仕口部材６、６０および床とが一体に構築され、床と鉄骨製梁との一体性も確保される。
【００４６】
その後、床コンクリート１５の打設が完了した上階の床面において、柱ユニット１および、第二柱ユニット１００を設置し、前述の施工手順を繰り返す。
【００４７】
具体的な、上階の床面における施工手順を図８に示す。床コンクリートの打設が完了した上階の床面には、該上階の床面から、さらに上階の床面まで突出する柱ユニット１の柱主筋９と、設置面から建物１層分以上突出されている柱主筋１１０が、互に隣接して位置している。
【００４８】
上階床面の柱主筋１１０の柱位置には、改めて柱ユニット１の取り付けを行う。該上階床面から、さらに上階の床面上まで延びる、施工済み柱ユニット１の柱主筋９の柱位置に対しては、柱主筋９上部の柱主筋形成材２１を取り外した後、第二柱ユニット１００を挿入して、中空プレキャスト柱部材７０を床に仮固定する。その後、柱ユニット１および第二柱ユニット１００の仕口部材６、６０間に鉄骨製梁部材１１を架設し、既に述べた施工手順を繰り返す。
【００４９】
以上述べたように、互いに隣接する柱位置に対して、柱ユニット１と第二柱ユニット１００を、施工階ごとに交互に繰り返し用いて、建物全体を施工していく。
【００５０】
以上説明した本実施形態に係る柱ユニット１および柱ユニット１を使用した建物の施工方法にあっては、中空プレキャスト柱部材７と仕口部材６を一体にしている。このため、中空プレキャスト柱部材７内部のコンクリートと仕口部材６内部のコンクリートを打ち継ぎなく一体とすることができ、構造的に不利となる、柱梁接合部のコンクリートの打ち継ぎをなくすことができる。
【００５１】
中空プレキャスト柱部材７内部のコンクリートと仕口部材６内部のコンクリートおよび床のコンクリートを１回のコンクリート打設で行なう。このため、施工効率が向上し、さらに、構造的に不利な、柱梁接合部のコンクリートの打ち継ぎ、および、柱上端部と床とのコンクリートの打ち継ぎ部をなくすことが出来る。
【００５２】
Ｈ形鋼梁部材が、ウェブおよびフランジを有した鉄骨製梁形状で柱上部の仕口部を横断しており、仕口部材６の仕口部梁組３は鉄骨製梁材２が交差したＸ字状になっている。このため、本柱ユニット１内部のコンクリート打設により鉄骨製梁が鉄筋コンクリート製柱に一体に埋設され、仕口部における鉄筋コンクリート製柱と鉄骨製梁の接合部の耐力が確保しやすい。加えて、側柱や隅柱のように梁が柱の一部の方向にのみ接続される場合であっても、基本的な構成を変更することなく対応できる。
【００５３】
仕口部材６、６０は、中空プレキャスト柱部材７、７０の各辺の外殻に、Ｘ字状の仕口部梁組３の各鉄骨製梁材２のフランジ部分を載せて支持されている。このため、載置し連結するだけの簡単な構造であっても、鉛直荷重に強くかつ揺れや座屈等もなく安定し、仮設支持材も少なくできる。
【００５４】
本実施形態における、中空プレキャスト柱部材７、７０は、矩形断面の中空のコンクリート製部材である。このため、中空プレキャスト柱部材７、７０の頂部に、仕口部材６、６０を載せても、安定して床上に自立でき、変形も少ない。また、図５に示すように、中空プレキャスト柱部材７内方の柱主筋９は、その上部は仕口部材６を貫通し、下部は床から立ち上がる鉄筋１０と接続されている。同様に、中空プレキャスト柱部材７０に挿入される柱主筋１１０も、その上部は仕口部材６０を貫通し、下部は床コンクリートに埋設されている。このため、柱主筋９、１１０は安定しており、仕口部材６、６０を頂部に載せた中空プレキャスト柱部材７、７０の転倒防止機能を果たし、施工上の安全性を確保しやすくなる。したがって、鉄骨製梁部材１１の取り付けを、多大な仮設設備を設けなくても安全に行うことができる。
【００５５】
さらに、各仕口部材６、６０間に鉄骨製梁部材１１を架設することにより、施工階の柱梁が一体の架構となり、中空プレキャスト柱部材７、７０の取り付け位置が安定する。これにより、床部材１３の取り付けや床配筋１４、さらに柱床一体のコンクリート打設等の施工時にも、躯体精度が確保される。
【００５６】
これらから、中空プレキャスト柱部材７、７０内部へのコンクリート打設前でも、少数の仮設支持材で鉄骨製梁部材１１の取り付や床の施工が可能となる。加えて、コンクリートを中空プレキャスト柱部材７、７０の内部から仕口部材６、６０、床まで一体に打設することも可能となる。これにより建物の打ち継ぎ部を減らすことが出来、施工手順も簡略化される。塞ぎ板４には、仕口部材６、６０を中空プレキャスト柱部材７、７０へ載置する際の荷重や、仕口部材６、６０の吊り金具２２で中空プレキャスト柱部材７、７０を吊ったときの荷重がかからない。このため、塞ぎ板４の鋼板を薄くして、仕口部材６を軽量化、簡素化することが可能となる。これにより、中空プレキャスト柱部材７への荷重負担も軽減され部材の補強が不要となる。また、仕口部材６、６０の中空プレキャスト柱部材７、７０への設置作業も容易に行うことができる。塞ぎ板４が鋼板製であるため、同じ鋼製品である鉄骨製梁材２との接合が容易で、柱のせん断補強材としての機能を確保しやすい。
【００５７】
中空プレキャスト柱部材７、７０にフープ筋８が埋設され、また、仕口部材６、６０の塞ぎ板４が、仕口部における、せん断補強部材となっている。このため柱主筋９、１１０自体にフープ筋を取り付ける必要がなく、柱ユニット１では仕口部材６のＸ字状の仕口部梁組３の間に、柱の高さ方向へスライド自在に柱主筋９を配置でき同時に、中空プレキャスト柱部材７に対する同様の動きも確保されている。本実施形態の柱主筋９の、仕口部材６上端からの突出長さは、建物１層分以上であるため、一の柱ユニット１の施工で、２層分の柱主筋９を施工でき施工効率が向上する。建物２層分の長さの柱主筋９が突出させた場合、３層分の柱主筋９を先行施工でき施工効率が向上する。
【００５８】
本実施形態の施工方法においては、図８に示すように、柱主筋の長さが建物２層分である。柱ユニット１と第二柱ユニット１００の高さが、設置面である床のコンクリート天端から、上階の床コンクリート下端までの寸法と等しく設定され、互に隣接して用いられている。このため、各施工階単位で、柱主筋１と柱ユニット１の柱主筋９との接合作業が必要な柱ユニット１の使用箇所と、柱主筋の接続作業のない第二柱ユニット１００の箇所の数をほぼ等しくでき、柱主筋１と柱ユニット１の柱主筋９との接合作業を、ほぼ半分に軽減でき作業量が安定的になる。
【００５９】
これにより、建物の躯体施工期間にわたり、工事にかかる手間と時間を各施工階で平均化できる。より具体的には、各施工階共通で、調達すべき資材の定量化、確保すべき技術者数の低減、施工期間の短縮等が可能となる。
【００６０】
中空プレキャスト柱部材７、７０に埋設されているスパイラル状のフープ筋８により、中空プレキャスト柱部材７、７０に特別な補強をしなくても、中空プレキャスト柱部材７、７０上部の柱部連結金具２４で中空プレキャスト柱部材７、７０全体を吊り上げることができ、部材の製作の省力化、部材自体の軽量化が図れる。吊り金具２２および仕口部連結金具２３は、仕口部材６、６０の仕口部梁組３に設けられている。このため、中空プレキャスト柱部材７、７０と仕口部材６、６０の連結、吊り上げに際し、塞ぎ板４に荷重がかからず、塞ぎ板４の軽量化が可能となっている。仕口部連結金具２３は、仕口部材６、６０と中空プレキャスト柱部材７、７０との横方向のずれ防止だけでなく、上下方向の連結機能を有している。このため、仕口部材６、６０を吊ることで、同時に中空プレキャスト柱部材７、７０を吊リ上げることができ、両者を容易に一体的に扱うことができる。したがって、柱ユニット１または第二柱ユニット１００の上部からでも、仕口部材６下部の中空プレキャスト柱部材７は、柱主筋９に対しスライド自在にすることができる。
【００６１】
さらに、柱部分は中空プレキャスト７、仕口部分は塞ぎ板４が型枠を兼用し、梁部分は鉄骨であり、床材１３は床型枠のデッキプレートを使用しているため、建物の躯体工事における型枠が不要になり、工期短縮やコストの低減が可能となる。
【００６２】
柱主筋形成材２１は、各柱主筋用鉄筋２０の位置を保持しながら、まとめて柱主筋９として組み上げるための保持具となり、同時に柱主筋９の吊り治具ともなっている。このため、中空プレキャスト柱部材７に対し、柱主筋９を容易にスライド操作できる。
【００６３】
図９には、柱ユニット１の変形例が示されている。２つの中空プレキャスト柱部材を連結用仮設部材２８にて連結して、柱ユニット１の中空プレキャスト柱部材７とし、仕口部材６上部に柱主筋９を建物１層分以上の長さ突出させた、他の柱ユニット１の実施形態を示す。
【００６４】
図９に示す変形例における中空プレキャスト柱部材７は、中空プレキャスト柱部材７ａ、７ｂを連結して構成されている。この場合、連結される各中空プレキャスト柱部材７の数や、長さ寸法に限定はない。これにより、上記実施形態の作用効果を損なうことなく、あらゆる高さの柱ユニット１を組み立てることが可能となり広範囲の建物に使用できる。すなわち、建物の階高や、柱の高さ、プレキャスト成型の限界、搬送の時の長さ制限等に左右されずに適用できる。
【００６５】
また、図９の上側の中空プレキャスト柱部材７ａは、柱ユニット１を用いる対象建物の標準的な施工階における中空プレキャスト柱部材の寸法、すなわち、その頂部に仕口部材６を載置した場合に、設置面から上階の床コンクリート下端まで達する寸法に設定されている。一方、下側の中空プレキャスト柱部材７ｂは、その上端を２階床コンクリート天端までの特殊な長さの寸法とされている。したがって、図９の中空プレキャスト柱部材７の構成では、下側の中空プレキャスト柱部材７ｂのみが特殊形状のものとなり、上側の中空プレキャスト柱部材７ａは標準的な寸法となる。
【００６６】
これにより、特殊な形状の中空プレキャスト柱部材を、接続される一方のみとすることができ、特殊な形状の中空プレキャスト柱部材の数量を減らすことができる。また、この特殊な形状の中空プレキャスト柱部材７ｂは切断することにより、標準的な長さ寸法の中空プレキャスト柱部材７ａとして転用でき、中空プレキャスト柱部材の利用効率が向上する。
【００６７】
なお、図９の変形例における柱主筋９の長さは、柱ユニット１を用いる対象建物の、標準的な柱ユニット１が設置される面における柱主筋１０の突出長さと同程度の長さ分、仕口部材６の上端から突出する寸法に設定してもよい。
【００６８】
本実施形態における、柱主筋９は、柱ユニット１の取り付け完了状態において、仕口部材６上端から柱主筋９が突出する長さを有していればよい。本実施形態における柱主筋９は、建物２層分の長さ寸法を有しているため、柱ユニット１としては、柱主筋９が、中空プレキャスト柱部材７の高さ寸法よりも、建物１層分以上の長さ分、中空プレキャスト柱部材７から突出する形態であるが、この突出長さに限定されない。例えば、柱主筋９を建物２層分の長さ以上突出させてもよいし、０．５層分としてもよい。柱主筋９は途中で柱主筋用鉄筋２０を接続して全体で本柱ユニット１の柱主筋９としてもよい。これにより、柱主筋９の長さは施工状況に応じて自由に変えることができ、施工の自由度が向上する。また、１つの柱ユニット１により、複数階分の柱主筋の先行施工が可能となり、施工効率がさらに向上する。
【００６９】
本実施形態における、柱ユニット１の仕口部梁組３の鉄骨製梁材２は、鉄骨製梁が柱の四側面に柱芯位置で接続している場合の形態であるが、これに限定されない。すなわち、仕口部梁組３の鉄骨製梁材２を中空プレキャスト柱部材７の四側面位置より延長し、仕口部材６の全体形状として田の字状の、内側の十字状を四方向、外側へ延長した形態であるが、これに限定されない。例えば、柱に接続される梁の方向と本数により、鉄骨製梁材２を延長する方向を、図１０，１１に示すような２方向とし、仕口部材６の全体形状をＬ字状やＩ字状にしてもよい。また、図示していないが３方向にし、Ｔ字状に仕口部材６を形成してもよい。
【００７０】
また、柱ユニット１の鉄骨製梁部材２を構成する、第一鉄骨製梁材２ａ、各第二鉄骨製梁材２ｂを中空プレキャスト柱部材７の柱芯から偏芯させた位置で、仕口部梁組３を組んでもよい。さらに、第一鉄骨製梁材２ａを挟む両第二鉄骨製梁材２ｂは、同一線上に設けなくてもよい。両第二鉄骨製梁材２ｂは、第一鉄骨製梁材２ａに対し直角でなくてもよい。また、第一鉄骨製梁材２ａおよび各第二鉄骨製梁材２ｂは、同一の断面形状でなくても良く、それぞれの接続位置についても制限はない。
【００７１】
本実施形態における、第一鉄骨製梁材２ａは、単一部材である必要はなく、また複数部材とした場合でも、同一線上に配置しなくてもよい。例えば、仕口部梁組３を柱幅の１／２以上の長さを有する４本の鉄骨製梁材２を直角に交差させて組み、Ｘ字状を構成してもよい。この場合、４本を一点でＸ字状に交差させなくてもよい。すなわち、本実施形態において、「交差して」とは各鉄骨製梁材２が、一方に対し他方が突出するように、相互に構造的に接続されていることを意味する。
【００７２】
鋼板製の塞ぎ板４の鉄骨製梁材２の側部への接合は、溶接に限定されない。柱のせん断補強材およびコンクリート打設空間５に対する型枠の機能を果たせる接合であればよい。鋼板製の塞ぎ板４の高さ寸法は、梁せいと同一である必要はない。例えば、梁せい寸法より大きくし、鉄骨製梁材２の下端より下方に突出させて取り付けてもよい。その場合、鋼板製の塞ぎ板４の取り付け位置は、中空プレキャスト柱部材７、７０の外周面より外側にし、中空プレキャスト柱部材７、７０の側面を囲むようにする。これにより、仕口部材６、６０の荷重が、鋼板製の塞ぎ板４にかからなくなる。
【００７３】
中空プレキャスト柱部材７、７０のフープ筋８は、スパイラル状のフープ筋８に限定されず、通常のフープ筋を配置してもよい。ただし、この場合、フープ筋同士を柱主筋方向で連結する連結部材を取り付ける方が好ましい。また、炭素繊維等をフープ筋の代わりに用いてもよい。
【００７４】
仕口部材６、６０と中空プレキャスト柱部材７、７０の連結手段は、本実施形態に限定されるものではない。例えば、鉄骨製梁材２と中空プレキャスト柱部材７、７０をワイヤ等の線条材で固定してもよい。また、中空プレキャスト柱部材７、７０の各側面に鉤形の部材を、鉄骨製梁材２のフランジ幅の間隔で一対ずつ回動自在に取り付け、鉤形の部材を鉄骨製梁材２下端フランジの両端へ係合させて一体としてもよい。
【００７５】
柱主筋形成部材２１の材料部材は、山形鋼に限定されるものではなく、各柱主筋９の位置関係をある程度保持しながら、吊り上げることができるものであればよい。柱主筋形成部材２１は柱主筋９を仕口部材６から中空プレキャスト柱部材７に挿入する際に、障害とならない部分に複数設けてもよい。柱主筋９の柱主筋用鉄筋２０は、ねじ鉄筋に限らず、他の形状の鉄筋としてもよい。柱主筋どうしの接合部は、ねじ切り加工してナット止め可能としても、通常の圧接にしてもよい。床材１３は、ハーフプレキャスト床版やデッキプレート、従来工法の型枠でもよい。また、フルプレキャスト床版などのように、コンクリートを打設しない床を、柱ユニット内へのコンクリート打設前もしくは打設後に設置してもよい。
【図面の簡単な説明】
【００７６】
【図１】本発明に係る柱ユニットの好適な一実施形態を示す斜視図である。
【図２】図１に示した柱ユニットの平面図である。
【図３】図１に示した柱ユニット上部の縦断面図である。
【図４】本発明に係る柱ユニットを用いた建物の施工方法の好適な一実施形態における柱ユニット取り付け手順を示す側面図である。
【図５】本発明に係る柱ユニットを用いた建物の施工方法の好適な一実施形態における鉄骨製梁材取り付け手順を示す側面図である。
【図６】本発明に係る柱ユニットを用いた建物の施工方法の好適な一実施形態における床材配置および配筋の手順を示す側面図である。
【図７】本発明に係る柱ユニットを用いた建物の施工方法の好適な一実施形態におけるコンクリート打設手順を示す側面図である。
【図８】本発明に係る柱ユニットを用いた建物の施工方法の好適な一実施形態におけるコンクリート打設後の柱ユニットおよび第二柱ユニットの取り付け手順を示す側面図である。
【図９】本発明に係る柱ユニットの変形例を示す、取り付け状況の側面図である。
【図１０】本発明に係る柱ユニットの他の変形例の平面図である。
【図１１】本発明に係る柱ユニットのさらに他の変形例の平面図である。
【符号の説明】
【００７７】
１  柱ユニット
２  鉄骨製梁材
３  仕口部梁組
４  鋼板製の塞ぎ板
５  コンクリート打設空間
６  仕口部材
７  中空プレキャスト柱部材
８  フープ筋
９  柱主筋
１０  設置面から突出する柱主筋
１１  仕口部間の鉄骨製梁部材
１３  床材
１４  床配筋
１５  打設したコンクリート
６０  第二柱ユニットの仕口部材
７０  第二柱ユニットの中空プレキャスト柱部材
１００  第二柱ユニット
１１０  設置面から建物１層分以上突出されている柱主筋
【図１】
2008025125.tif 000003
【図２】
2008025125.tif 000004
【図３】
2008025125.tif 000005
【図４】
2008025125.tif 000006
【図５】
2008025125.tif 000007
【図６】
2008025125.tif 000008
【図７】
2008025125.tif 000009
【図８】
2008025125.tif 000010
【図９】
2008025125.tif 000011
【図１０】
2008025125.tif 000012
【図１１】
2008025125.tif 000013